(57)【要約】【課題】撮像装置に記憶された患者に関する情報を、後で得られたその患者の個人情報に、患者に識別装置を装着することなく並びに他の患者情報と取り違えることなく更新できる被検者取り違い防止システムを実現する。【解決手段】撮像装置１４はＲＩＳサーバ１３から検査情報を受け取り、生体情報が含まれていれば、記憶装置１４ｍのデータベースに保存してある患者情報の中で生体情報を持っているものを検索する。生体情報を持つ患者情報が存在している場合、ＲＩＳ１３から伝送された生体情報と記憶装置１４ｍに記憶された情報とを比較する。同一の生体情報である場合、ＲＩＳ１３の検査情報により記憶装置１４ｍに記憶されている患者の情報を更新する。これにより、患者に識別装置を装着することなく並びに他の患者情報と取り違えることなく更新できる被検者取り違い防止システムを実現することができる。【選択図】      図２
2006158818.tif 000002
【特許請求の範囲】
【請求項１】
被検者から生体情報を取得する第１の生体情報取得手段と、
被検者の個人情報及び検査情報と、第１の生体情報取得手段からの生体情報を記憶する第１の記憶手段を有する第１の情報管理手段と、
被検者を撮像するとともに、被検者の撮像情報、生体情報を管理する撮像手段と、
被検者から生体情報を取得する第２の生体情報取得手段と、
上記撮像手段からの被検者の個人情報及び検査情報と、第２の生体情報取得手段からの生体情報を記憶する第２の記憶手段を有する第２の情報管理手段と、
を備え、上記撮像手段は、上記第１の情報管理手段から、被検者の個人情報及び生体情報が伝送されたとき、第２の記憶手段に記憶された生体情報の中に、伝送された生体情報と一致するものがあるか否かを判断し、一致するものがある場合には、その一致した生体情報に対応する個人情報として、上記伝送された個人情報を格納することを特徴とする被検者の情報取り違い防止システム。
【請求項２】
請求項１記載の被検者の情報取り違い防止システムにおいて、上記撮像手段は、上記第１の情報管理手段から、被検者の個人情報及び生体情報が伝送されたとき、第２の記憶手段に記憶された生体情報の中に、伝送された生体情報と一致するものがあるか否かを判断し、一致するものがない場合には、その被検者は、撮像情報が第２の記憶手段の記憶されていないことを警告表示することを特徴とする被検者の情報取り違い防止システム。
【請求項３】
請求項１又は２記載の被検者の情報取り違い防止システムにおいて、上記生体情報は、被検者の指紋であり、上記第１及び第２の生体情報取得手段は、指紋を読み取ることを特徴とする被検者の情報取り違い防止システム。
【請求項４】
請求項１又は２記載の被検者の情報取り違い防止システムにおいて、上記生体情報は、被検者の虻彩であり、上記第１及び第２の生体情報取得手段は、虹彩を読み取ることを特徴とする被検者の情報取り違い防止システム。
【請求項５】
請求項１又は２記載の被検者の情報取り違い防止システムにおいて、上記生体情報は、被検者の静脈形状であり、上記第１及び第２の生体情報取得手段は、静脈形状を読み取ることを特徴とする被検者の情報取り違い防止システム。
【発明の詳細な説明】
【技術分野】
【０００１】
本発明は、病院における被検者の情報の取り違いを防止するシステムに関する。
【背景技術】
【０００２】
従来、病院内の、磁気共鳴イメージング装置（ＭＲＩ装置）、Ｘ線画像診断装置等の撮像装置において、事故等で緊急に患者（被検者）を撮像する必要がある際、患者の意識が無く、更に患者の身元を表すものが、その患者の近辺に無い場合等がある。
【０００３】
この場合、病院では患者の撮像をする前に、患者の個人情報を調査している時間が無いために、患者の個人情報を入力せずに撮像を行なうことがある。
【０００４】
この場合、病院側では撮像装置で撮った情報を管理するために、患者が回復した後、または患者の親族や知り合い等から患者の個人情報を聞いて、病院関係者がＨＩＳ（病院情報システム）に登録を行なう。
【０００５】
ＨＩＳに登録された情報は、ＭＲＩ等による検査情報としてＲＩＳ（放射線情報システム）へ送られる。そして、その情報により、撮像装置で撮った情報が更新される。
【０００６】
この時、ＨＩＳからＲＩＳに送信された患者の個人情報と医療撮像装置内の患者情報とは、互いに対応させるものが無いために、撮像装置の使用者（エンドユーザ）が、一件ずつ、撮像装置に登録されている情報とＲＩＳに登録されている情報とを比較する。そして、撮像装置に登録されている情報を、ＲＩＳに登録した情報を更新させなくてはならない。
【０００７】
ここで、個々の患者を識別するために、患者毎の識別信号を発生する識別装置、例えば、リストバンドのような形状の装置として、患者者に装着させる技術が特許文献１に記載されている。
【０００８】
この特許文献１記載の技術に寄れば、この患者に装着されている識別装置からの識別信号を無線検査ユニットが検出し、その識別信号が示す患者に関する情報がディスプレイに表示される。
【０００９】
【特許文献１】特開２００４−１７８５９９号公報
【発明の開示】
【発明が解決しようとする課題】
【００１０】
ところで、ＨＩＳに登録された患者の個人情報により撮像装置に保存されている患者情報を更新する場合、ＨＩＳに患者の個人情報を登録する者と、撮像装置の情報を更新する使用者は異なることが多い。
【００１１】
そのため、緊急に来院した患者の撮像装置による撮像後、その患者の個人情報が、ＨＩＳに登録されたならば、その旨を、逐次撮像装置のエンドユーザに連絡する必要がある。そして、連絡を受けたエンドユーザは、その連絡に基づいて、撮像装置内の緊急来院した緊急患者の個人情報を１件ずつ更新させなければならない。
【００１２】
これらの作業により、ＨＩＳ側と撮像装置側との連絡ミスや、撮像装置で情報の更新を行なっているエンドユーザによって、撮像した情報を誤った情報に更新されてしまうこと等が発生することが考えられる。
【００１３】
また、上記更新作業は、エンドユーザ等の人手により行なわれており、自動で行うことはなされていない。
【００１４】
また、検査においても同姓同名の患者が同じ日に検査を行う場合は検査前に姓名を判別し、さらに患者の生年月目を用いて患者の判別を行なう必要があるが、同姓同名、同一誕生目の患者が存在しないわけでは無いので患者を誤認する可能性がある。
【００１５】
そこで、特許文献１記載の技術に基づき、緊急患者にリストバンド形状の識別装置を装着しておき、この識別装置が発生する識別信号と共に、後日判別した緊急患者の個人情報をＨＩＳ及びＲＩＳを介して撮像装置に送信することが考えられる。
【００１６】
しかしながら、その場合、患者は、リストバンド形状となってはいるものの、識別装置を装着しておかねばならず、患者にとって煩わしい識別システムとなってしまう。
【００１７】
本発明の目的は、撮像装置に記憶された患者に関する情報を、後に得られたその患者の個人情報に、患者に識別装置を装着することなく、並びに他の患者情報と取り違えることなく、更新することが可能な被検者取り違い防止システムを実現することである。
【課題を解決するための手段】
【００１８】
上記目的を達成するため、本発明は次のように構成される。
【００１９】
（１）被検者の情報取り違い防止システムにおいて、被検者から生体情報を取得する第１の生体情報取得手段と、被検者の個人情報及び検査情報と、第１の生体情報取得手段からの生体情報を記憶する第１の記憶手段を有する第１の情報管理手段と、被検者を撮像するとともに、被検者の撮像情報、生体情報を管理する撮像手段と、被検者から生体情報を取得する第２の生体情報取得手段と、上記撮像手段からの被検者の個人情報及び検査情報と、第２の生体情報取得手段からの生体情報を記憶する第２の記憶手段を有する第２の情報管理手段とを備え、上記撮像手段は、上記第1の情報管理手段から、被検者の個人情報及び生体情報が伝送されたとき、第２の記憶手段に記憶された生体情報の中に、伝送された生体情報と一致するものがあるか否かを判断し、一致するものがある場合には、その一致した生体情報に対応する個人情報として、上記伝送された個人情報を格納する。
【００２０】
（２）好ましくは、上記（１）において、上記撮像手段は、上記第１の情報管理手段から、被検者の個人情報及び生体情報が伝送されたとき、第２の記憶手段に記憶された生体情報の中に、伝送された生体情報と一致するものがあるか否かを判断し、一致するものがない場合には、その被検者は、撮像情報が第２の記憶手段の記憶されていないことを警告表示する。
【００２１】
（３）また、好ましくは、上記（１）、（２）において、上記生体情報は、被検者の指紋であり、上記第１及び第２の生体情報取得手段は、指紋を読み取る。
【００２２】
（４）また、好ましくは、上記（１）、（２）において、上記生体情報は、被検者の虻彩であり、上記第１及び第２の生体情報取得手段は、虹彩を読み取る。
【００２３】
（５）また、好ましくは、上記（１）、（２）において、上記生体情報は、被検者の静脈形状であり、上記第１及び第２の生体情報取得手段は、静脈形状を読み取る。
【００２４】
緊急で来院した患者（被検者）の場合、個人情報が無いことが多い。この場合、緊急患者の撮像情報と、生体情報とを撮像手段の記憶手段に記憶しておく。そして、その後、その緊急患者の個人情報が判明した場合、その緊急患者の生体情報を取得する。取得した生体情報と、既に記憶された生体情報とを比較し、一致する生体情報に対応する記憶エリアに判明した個人情報を格納する。
【発明の効果】
【００２５】
本発明によれば、撮像装置に記憶された患者に関する情報を、後に得られたその患者の個人情報に、患者に識別装置を装着することなく、並びに他の患者情報と取り違えることなく、更新することが可能な被検者取り違い防止システムを実現することができる。
【００２６】
また、生体情報を用いて、患者の判定を行なうため、個人情報の更新手続きを自動化することができる。
【発明を実施するための最良の形態】
【００２７】
以下、本発明について添付図面を参照して詳細に説明する。
【００２８】
図１は、本発明が適用される、病院内における患者情報の全体管理システムの概略構成図である。
【００２９】
図１において、一般の患者Ａが病院に来院すると、受付端末１０により、その患者の個人情報がＨＩＳサーバ１１に送られ、ＨＩＳ記憶装置１１ｍに格納される。
【００３０】
次に、診察端末１２により、患者ＡがＭＲＩ装置１４により撮像される場合は、その旨をＭＲＩ装置１４に伝送する。ＭＲＩ装置１４は、患者Ａの撮像情報を患者Ａの個人情報と共にＭＲＩ記憶装置１４ｍに格納すると共に、その患者Ａに関する情報をＲＩＳサーバ１３に伝送する。ＲＩＳサーバ１３は、ＭＲＩ装置１４から伝送された患者Ａに関する情報をＲＩＳ記憶装置１３ｍに格納すると共に、その情報をＨＩＳサーバ１１に伝送する。
【００３１】
診察端末１２は、ＭＲＩ装置１４、ＨＩＳサーバ１１からの情報に基づいて、患者Ａに関する診察情報を会計端末１５に伝送する。
【００３２】
会計端末１５は、診察端末１２から伝送された情報に基づいて会計情報を作成する。
【００３３】
一般の患者ではなく、緊急の患者Ａｉが緊急来院し、断層画像を撮影する必要がある場合は、まず、ＭＲＩ装置１４により断層画像が撮像される。この場合、上述したように、緊急患者のＡｉの個人情報が不明の場合は、緊急患者Ａｉの生態情報を生体情報入力装置により読み取り、その生体情報と共に、撮像画像をＭＲＩ装置１４の記憶装置１４ｍに格納しておく。
【００３４】
その後、緊急患者Ａｉの個人情報が入手されたときには、その個人情報と生体情報とが、ＨＩＳサーバ１１、ＲＩＳサーバ１３を介してＭＲＩ装置１４に伝送される。
【００３５】
図２は、ＭＲＩ装置１４の記憶装置１４ｍに記憶された緊急患者Ａｉの個人情報を、更新する場合の情報伝送の概念図である。また、図３は、緊急患者Ａｉの個人情報を、更新する場合の動作フローチャートである。
【００３６】
図２、図３において、ＭＲＩ装置１４は、ＲＩＳサーバ１３から検査情報を受け取る（ステップ１）。次に、ＭＲＩ装置１４は、受け取った検査情報に生体情報が含まれているか否かを判断する（ステップ２）。
【００３７】
ここで、検査情報には、検査を行う上で必要となる項目、「患者ＩＤ」、「患者名」、「検査日」、「検査時間」、「予約済実行医名」、「モダリティ（ＭＲＩ、ＣＴ、超音波等の区別）」、「依頼造影剤」等の情報がある。そして、これら情報に加えて患者を生体情報に基づいて見分けるための情報である「生体情報」を予め、生体情報入力装置１１ｂｉにより患者から取得し、記憶装置１１ｍに登録しておく。
【００３８】
ステップ２で生体情報が含まれていなければ、ＭＲＩ装置１４は、通常の検査予約情報と判断し、その検査予約情報を取り込むのみとする。
【００３９】
ステップ２において、検査情報の中に生体情報が含まれている場合は、ＭＲＩ装置１４の記憶装置１４ｍに保存されている緊急来院した患者の個人情報を更新する事が考えられるため、記憶装置１４ｍのデータベースに保存してある患者情報の中で生体情報を持っているものを検索する（ステップ３）。
【００４０】
ここで、ＭＲＩ装置１４は、緊急患者を撮像した場合は、その生体情報を生体情報入力装置１４ｂｉにより取得し、画像情報と共に記憶装置１４ｍに記憶している。
【００４１】
ステップ４において、生体情報を持つ患者情報が存在している場合、ＲＩＳ１３から伝送された検査情報に含まれている生体情報と、記憶装置１４ｍに記憶された情報とが同一か否かを比較する。
【００４２】
同一の生体情報であると判断した場合（ステップ５）、ＲＩＳ１３の検査情報により、記憶装置１４ｍに記憶されている既に撮像された患者の撮像情報を更新する（ステップ６）。
【００４３】
これにより、ＲＩＳ１３に登録してある患者情報と撮像装置１４に保存してある情報とが同一の情報になることによって、病院内での情報が一致し、情報管理によるその後の患者の診断等を、迅速で適切なものとすることができる。
【００４４】
なお、生体情報入力装置１１ｂｉ、１４ｂｉについては、例えば、特開平１０−１２７６０９号公報に記載された生体識別装置等のような構成の装置を応用することができる。
【００４５】
この公報記載の生体識別情報は、静脈の血管パターンであるが、指紋、虹彩、音声等の、その他の生体情報であっても使用することができる。
【００４６】
次に、ＭＲＩ装置１４の記憶装置１４ｍに記憶された生体情報を用いて、再度、検査を行なおうとする患者が、以前検査した患者であるか否かを判断し、患者（被検者）の取り違い防止する動作について、図４を参照して説明する。
【００４７】
図４において、ＭＲＩ装置１４は、ＲＩＳ１３から、生体情報を含む検査情報を受け取り、記憶する（ステップ２１）。
【００４８】
次に、患者が検査を受けるために、来院し、その患者は、生体情報取得装置（入力装置）に生体情報を入力する（ステップ２２、２３）。
【００４９】
ＭＲＩ装置１４は、これから検査を行う患者の生体情報と、記憶装置１４ｍに記憶された患者の生体情報とを比較する。（ステップ２４）。
【００５０】
生体情報の比較の結果、同一な情報であると判断した場合は（ステップ２５）、ＲＩＳ１３から送られてきた検査情報とこれから検査を行う患者が同一であるので直に検査を開始することができる（ステップ２６）。
【００５１】
しかし、ステップ２５において、生体情報が互いに同一で無かった場合、氏名が同じであっても、同姓同名な別な患者であると考えることができるので、撮像装置であるＭＲＩ装置１４は、エンドユーザに対して警告を出す（ステップ２７）。この警告は、その被検者の撮像情報が記憶装置１４ｍに記憶されていない旨を画面表示してもよいし、音声で警告を行なってもよい。
【００５２】
このように、その患者の生体情報を画像情報と共に記憶させておき、ライン来院した患者の生体情報とを、記憶された生体情報と比較することにより、患者（被検者）情報の取り違いを防止することができる。
【００５３】
なお、上述した例は、ＭＲＩ装置に本発明を適用した場合の例であるが、ＭＲＩ装置のみならず、CT装置、超音波診断装置等の他の撮像装置に適用可能である。
【図面の簡単な説明】
【００５４】
【図１】本発明が適用される、病院内における患者情報の全体管理システムの概略構成図である。
【図２】ＭＲＩ装置の記憶装置に記憶された緊急患者の個人情報を、更新する場合の情報伝送の概念図である。
【図３】緊急患者の個人情報を、更新する場合の動作フローチャートである。
【図４】ＭＲＩ装置に記憶された生体情報を用いて、患者（被検者）の取り違い防止するための動作フローチャートである。
【符号の説明】
【００５５】
１１            ＨＩＳサーバ
１１ｍ          ＨＩＳ記憶装置
１３            ＲＩＳサーバ
１３ｍ          ＲＩＳ記憶装置
１４            ＭＲＩ装置
１４ｍ          ＭＲＩ記憶装置
【図１】
2006158818.tif 000003
【図２】
2006158818.tif 000004
【図３】
2006158818.tif 000005
【図４】
2006158818.tif 000006